(57)【要約】      （修正有）【課題】ユーザ機器がアクティブセットにおけるセル毎に監視しなければいけないチャネル化コードの数を最小限に抑える方法、システム。【解決手段】基地局に対する高速アップリンクパケットアクセスをユーザ機器から行うワイヤレス通信システムおよび方法。各ユーザ機器および基地局は、送信機、受信機、およびコントローラを含む。ユーザ機器は、データパケットを基地局に送信する。基地局は、データパケットに対応する制御情報をユーザ機器に送信する。制御情報は、ユーザ機器絶対付与チャネル標識を含む。ユーザ機器に割り当てられた少なくとも１つのチャネル化コードを含む。のコントローラは、ハンドオフおよび／またはアクティブチャネル状態への移行に応答して、チャネル化コード絶対付与チャネル標識に基づいて、ユーザ機器によって監視すべきスケジューリングアクティブセットセル当たりのチャネル化コードを最小限に抑える。【選択図】      図１
2006087114.tif 000002
【特許請求の範囲】
【請求項１】
基地局に対して高速アップリンクパケットアクセスを行うユーザ機器であって、
前記基地局にデータパケットを送信するように構成された送信機と、
前記基地局に送信されたデータパケットに対応する制御情報を前記基地局から受信するように構成された受信機であって、前記制御情報は前記ユーザ機器に割り当てられた少なくとも１つのチャネル化コードを含む、受信機と、
前記送信機および受信機に結合され、ハンドオフおよびアクティブチャネル状態に入ることアクティブチャネル状態への移行のいずれかに応答して、前記少なくとも１つのチャネル化コードを使用するように構成されたコントローラと、
を備えていることを特徴とするユーザ機器。
【請求項２】
請求項１記載のユーザ機器において、
前記制御情報は、共通パイロットチャネルの信号対ノイズ比レベルを含み、
前記コントローラは、更に、前記共通パイロットチャネルの信号対ノイズ比レベルに基づいて、非スケジューリングアクティブセットセル制御チャネルを監視すべきかを判定するように構成されていることを特徴とするユーザ機器。
【請求項３】
請求項１記載のユーザ機器において、
前記制御情報は、絶対付与チャネルにおける未処理パケット数フィールドを含み、
前記コントローラは、更に、前記未処理パケット数フィールドに基づいて、「時間およびレート」スケジューリングモードまたは「レート」スケジューリングモードのどちらで動作すべきか判定するように構成されていることを特徴とするユーザ機器。
【請求項４】
請求項１記載のユーザ機器において、
前記制御情報はビジービットを含み、
前記コントローラは、更に、前記送信機のアップリンクにおける送信を不能にするように構成されていることを特徴とするユーザ機器。
【請求項５】
請求項１記載のユーザ機器において、
前記制御情報は、ビジービットを含み、
前記コントローラは、更に、前記送信機のアップリンク送信レートおよび送信電力レベルの少なくともいずれかを決定するためにユーザ機器によって用いられる属性を変更するように構成されていることを特徴とするユーザ機器。
【請求項６】
請求項１記載のユーザ機器において、
前記制御情報は、相対付与ビットを含み、
前記コントローラは、更に、前記送信機のアップリンク送信レートおよび送信電力レベルの少なくともいずれかを決定するためにユーザ機器によって用いられる属性を変更するように構成されていることを特徴とするユーザ機器。
【請求項７】
請求項１記載のユーザ機器において、
前記制御情報は、絶対付与チャネル内に制御チャネル肯定応答フィールドを含み、
前記コントローラは、更に、前記制御チャネル肯定応答フィールドに基づいて、ソフト結合のために早期の終了を許容するように構成されていることを特徴とするユーザ機器。
【請求項８】
請求項１記載のユーザ機器において、
前記少なくとも１つのチャネル化コードは、複数のチャネルに対して全体的に関連付けられている単一のコードであることを特徴とするユーザ機器。
【請求項９】
ユーザ機器から高速アップリンクパケットアクセスを受信する基地局であって、
前記ユーザ機器からのデータパケットを受信するように構成された受信機と、
前記ユーザ機器から受信したデータパケットに対応する制御情報を、前記ユーザ機器に送信するように構成された送信機であって、前記制御情報はユーザ機器に割り当てられた少なくとも１つのチャネル化コードを含む、送信機と、
前記受信機および送信機に結合され、ハンドオフおよびを行うか、アクティブチャネル状態へ移行のいずれかを行うに入るユーザ機器に対して、前記少なくとも１つのチャネル化コードを割り当てるように構成されたコントローラとを備えていることを特徴とする基地局。
【請求項１０】
請求項９記載の基地局において、前記制御情報は、共通パイロットチャネルの信号対ノイズ比レベルを含むことを特徴とする基地局。
【請求項１１】
請求項９記載の基地局において、前記制御情報は、絶対付与チャネルにおける未処理パケット数フィールドを含むことを特徴とする基地局。
【請求項１２】
請求項９記載の基地局において、前記制御情報は、前記ユーザ機器の送信機のアップリンク送信を不能にするビジービットを含むことを特徴とする基地局。
【請求項１３】
請求項９記載の基地局において、前記制御情報は、絶対付与チャネル内に制御チャネル肯定応答フィールドを含むことを特徴とする基地局。
【請求項１４】
請求項９記載の基地局において、前記少なくとも１つのチャネル化コードは、複数のチャネルに対して全体的に関連付けられている単一のコードであることを特徴とする基地局。
【請求項１５】
基地局がユーザ機器からの高速アップリンクパケットアクセスを受信するための方法であって、
繰り返し生じる一連の停止／待機間隔の内、第１の停止／待機間隔に関連する絶対付与インディケータを送信するステップと、
前記ユーザ機器から、第１チャネル上で、パケットを受信するステップと、
前記ユーザ機器から、第２チャネル上で、前記パケットに関連する制御情報を受信するステップと、
第１チャネル上で受信した前記パケットを、第２チャネル上で受信した前記制御情報に基づいてデコードするステップとから成ることを特徴とする方法。
【請求項１６】
請求項１５記載の方法において、第２チャネル上で前記パケットに関連する制御情報を受信するステップは、第１チャネル上でパケットを受信するステップと同時に行われることを特徴とする方法。
【請求項１７】
請求項１５記載の方法であって、前記基地局による前記パケットのデコードが成功したかを判定するステップを更に含むことを特徴とする方法。
【請求項１８】
基地局が、ユーザ機器からの高速アップリンクパケットアクセスを受信するための方法であって、
パケットを送信するときに用いるレートレベルおよび電力レベルの少なくともいずれかを決定するのを援助するために、相対付与情報を前記ユーザ機器に送信するステップと、
前記ユーザ機器から、第１チャネル上で、パケットを受信するステップと、
前記ユーザ機器から、第２チャネル上で、前記パケットに関連する制御情報を受信するステップと、
第１チャネル上で受信した前記パケットを、第２チャネル上で受信した前記制御情報に基づいてデコードするステップとから成ることを特徴とする方法。
【請求項１９】
請求項１８記載の方法において、第２チャネル上で前記パケットに関連する制御情報を受信するステップは、第１チャネル上でパケットを受信するステップと同時に行われることを特徴とする方法。
【請求項２０】
請求項１８記載の方法であって、前記基地局による前記パケットのデコードが成功したかを判定するステップを更に含むことを特徴とする方法。
【発明の詳細な説明】
【技術分野】
【０００１】
本発明は、一般的には、ワイヤレス通信装置間で高速通信を行うワイヤレス通信システムおよびその方法の分野に関する。特に、本発明は、基地局と携帯電話機との間で高速アップリンクパケットアクセスを提供するワイヤレス通信システムおよびその方法に関する。
【背景技術】
【０００２】
多くのワイヤレス通信システムが、通信基盤施設とユーザ機器との間で、標準的なワイヤレス通信プロトコルを用いて音声およびデータ情報を通信している。データ情報は、ネットワークの閲覧、メッセージ伝達、およびマルチメディア用途に必要な情報を含む。既存のシステムよりも高い通信速度を有する、改良型ワイヤレス通信システムを開発するためには、これらの改良型システムを管理し処理する新たな規格が望まれる。
【０００３】
高速通信を処理する方法には、高速ダウンリンクパケットアクセス（High Speed Downlink Packet Access:ＨＳＤＰＡ）サービス、および高速アップリンクパケットアクセスサービス（High Speed Uplink Packet Access:ＨＳＵＰＡ）が含まれる。ＨＳＤＰＡは、一般的に定義されたダウンリンクパケットデータに対応する方法である。現在、標準化の成果としては、アップリンク方向におけるパケットデータ通信に効率的に対応するＨＳＵＰＡの定義がある。ＨＳＤＰＡおよびＨＳＵＰＡは、漸増冗長性および適応型送信フォーマット適合化を含む、多数の類似した技術を用いる。特に、ＨＳＤＰＡおよびＨＳＵＰＡは、ワイヤレス環境における動的変動に応じて、変調フォーマットおよびコードレートを変更することができる。更に、ＨＳＤＰＡおよびＨＳＵＰＡは、ハイブリッド自動反復要求（Ｈ−ＡＲＱ：Ｈｙｂｒｉｄ  Ａｕｔｏｍａｔｉｃ  Ｒｅｐｅａｔ  ｒｅＱｕｅｓｔ）として知られている再送信方式を用いる。Ｈ−ＡＲＱ方式では、漸増冗長性は、元の送信からのデータおよびデータパケットのあらゆる再送信からのデータのソフト結合の使用によって得られる。つまり、受信機が再送信を受信すると、受信した情報を、あらゆる先行のデータパケットの送信からの情報と組み合わせる。再送信は、同じチャネルデータの再送信を含んでもよく、あるいは異なるチャネルデータを送信してもよい。例えば、再送信は、前進誤り訂正（ＦＥＣ）方式の追加冗長データを含んでもよい。付加的なエンコードデータは、先行の送信のエンコードデータと組み合わせることができ、組み合わせたデータにデコード動作を適用することができる。したがって、再送信は、事実上、同じ情報データのエンコードレートを低下させる（冗長性を高める）結果となる場合もある。
【０００４】
ＨＳＤＰＡおよびＨＳＵＰＡは多くの同様の技法を用いるが、ＨＳＵＰＡでは、ＨＳＤＰＡに関して多数の複雑性が付加されるものの、ダウンリンク送信に用いられる全ての技法が直接アップリンク状況に適応可能という訳ではない。特に、ＵＭＴＳでは、エアインターフェースを通じた通信用データのスケジューリングは、移動体装置においてではなく、ネットワークによって行われる。特に、ＨＳＤＰＡおよびＨＳＵＰＡでは、スケジューリング遅延を極力減らすために、スケジューリングに関連する処理は、ユーザをスケジューリングする個々の基地局において行われる。これによって、エアインターフェース通信を、ワイヤレス環境における動的なばらつきに適応させることができ、リンクの適合化が容易となる。
【０００５】
ＨＳＤＰＡでは、送信されるべきデータは基地局で得られ、詳細には、基地局はダウンリンク送信データバッファを備える。更に、ＨＳＤＰＡは、１カ所の基地局のみからの送信しか行うことができず、同じデータを複数の基地局から同一の移動体装置に同時に送信
するソフトハンドオーバには対応していない。したがって、基地局によるスケジューリングは、比較的単純である。これは、必要な情報は基地局において得られ、１つの基地局によるスケジューリングは、他の基地局とは独立して行うことができるためである。
【０００６】
しかしながら、ＨＳＵＰＡでは、スケジューリングされるべきデータは、移動局から送信されるデータである。したがって、基地局が移動体装置からのデータをスケジューリングできるようにし、更に移動体装置がこのスケジューリングに応じて動作できるようにするためには、移動体装置と基地局との間に効率的なシグナリング方式を有することが重要である。
【０００７】
更に、ＨＳＵＰＡは、移動体装置からの送信を、複数の基地局によって同時に受信することができ、受信された信号はネットワークにおいて結合されるソフトハンドオーバを用いている。しかしながら、スケジューリングがＨＳＵＰＡにおける１カ所の基地局によって行われるので、他の基地局は、いつ移動体装置が送信するかについての情報を全く有していない。このため、ソフトハンドオーバに関与する可能性がある全ての基地局は、連続的に移動体装置からのデータ送信を受信しようとする。このため、基地局は、連続的に、受信信号を、潜在的に動作中であり得る移動体装置の全ての拡散コードを用いて逆拡散しなければならない。しかしながら、移動体装置が送信するのはわずかな時間だけであるのが通例であるので、リソースの使用度が非常に高くなり、特に受信機の計算リソースの大部分が、移動体装置からの潜在的な送信を監視するために用いられる。同様に、移動体装置も、ソフトハンドオーバに関与する各基地局からのダウンリンクシグナリングを監視しなければならない。その場合、各基地局は、多数のチャネル化コード(channelization code) を用いて、必要なシグナリングを移動局に送ることがあり、したがって移動局は、多数のチャネル化コードをデコードして、何時それがシグナリングされるのか、またそれがシグナリングされるのか否かを判断しなければならない。移動局の複雑性は、セル当たり多数のチャネル化コードをデコードしなければならない場合に増加し、多数のセルからのチャネル化コード、したがって、移動局がデコードしなければならないチャネル化コードの数を最少に抑えなければならない。また、用途の種類によっては、ある形態のスケジューリングの方が他のものよりも最適な場合がある。例えば、サービス品質（ＱｏＳ）に厳しい制御が必要な場合、またはシグナリングからのオーバーヘッドが大きくなっても許される場合には、「時間およびレート」スケジューリングがより優れている。例えば、このような場合が生じ得るのは、「ホットスポット」カバレッジエリアであり、移動局が基地局に極めて近接しており、直線的に見通せること(line of site)さえあり得るときである。マクロセルトポロジにおける多重カバレッジ領域におけるように、低いシグナリングオーバーヘッドしか許容できない場合、または電子メールのアップロードや低データレートストリーミングのように、ベストエフォートになりがちな用途の場合には、「レート制御」スケジューリングのような、他の種類のスケジューリングの方が優れている。低レイテンシの要求がある用途では、フレームサイズも重要となる。これは、フレームサイズがユーザ（移動局）が遭遇するエンド・ツー・エンド遅延の物理的遅延構成要素の多くの決定要因となり得るためである。フレームサイズを大きくすることは、セルまたはネットワークの縁端において通例発生するカバレッジの問題に有効である。したがって、高速アップリンクパケットアクセスネットワークおよび移動局が対応するとき、小さなフレームサイズおよび大きなフレームサイズ（即ち、短い送信時間間隔および長い送信時間間隔(transmission time interval:ＴＴＩ）が有用である。
【非特許文献１】“3rd Generation Partnership Project; Technical Specification Group Radio Access Network; Physical channels and mapping of transport channels onto physical channels (FDD) (Release5)”, 3GPP TS 25.211 V5.3.0 (2002-12) Technical Specification
【非特許文献２】“3rd Generation Partnership Project; Technical Specification Group Radio Access Network; DRAFT Multiplexing and channel coding (FDD) (Release 5)”, 3GPP TS 25.212 V5.2 DRAFT (2002-09) Technical Specification
【非特許文献３】“3rd Generation Partnership Project; Technical Specification Group Radio Access Network; Physical layer Procedures (FDD) (Release 5)”, 3GPP TS 25.214 V5.4.0 (2003-03) Technical Specification
【非特許文献４】“3rd Generation Partnership Project; Technical Specification Group Radio Access Network; Spreading and modulation (FDD) (Release 5)” 3GPP TS 25.213 V5.5.0 (2003-12) Technical Specification
【発明の開示】
【発明が解決しようとする課題】
【０００８】
ユーザ機器がアクティブセットにおけるセル毎に監視しなければならないチャネル化コードの数を最少に抑えるシステムおよび方法が求められている。更に、「レート制御」ならびに「時間およびレート」スケジューリング、さらには大小のフレームサイズに対応するダウンリンクシグナリング構造も求められている。
【課題を解決するための手段】
【０００９】
本発明の１つの態様は、基地局に高速アップリンクパケットアクセスを行うユーザ機器であり、送信機と、受信機と、送信機および受信機に結合されているコントローラとを備えている。受信機によって受信される制御情報は、ユーザ機器に割り当てられる少なくとも１つのチャネル化コードを含む。コントローラは、ハンドオフおよびアクティブチャネル状態に入ることアクティブチャネル状態への移行の少なくともいずれかに応答して、チャネル化コードを用いるように構成されている。
【００１０】
本発明の別の態様は、ユーザ機器からの高速アップリンクパケットアクセスを受信する基地局であり、送信機と、受信機と、送信機および受信機に結合されているコントローラとを備えている。送信機によって送信される制御情報は、ユーザ機器に割り当てられた少なくとも１つのチャネル化コードを含む。コントローラは、ハンドオフおよびアクティブチャネル状態に入ることアクティブチャネル状態への移行のいずれかに応答して、少なくとも１つのチャネル化コードを割り当てるように構成されている。
【００１１】
本発明の更に別の態様は、基地局がユーザ機器からの高速アップリンクパケットアクセスを受信するための方法である。繰り返し生じる一連の停止／待機間隔の内、第１の停止／待機間隔に関連する絶対付与インディケータがユーザ機器に送信される。次に、第１チャネル上で、ユーザ機器からパケットが受信され、第２チャネル上で、ユーザ機器から受信される前記パケットに関連する制御情報が受信される。その後、第１チャネル上で受信されたパケットは、第２チャネル上で受信された制御情報に基づいてデコードされる。
【００１２】
本発明の更に別の態様は、基地局がユーザ機器からの高速アップリンクパケットアクセスを受信するための別の方法である。パケットを送信するときに用いるレートレベルおよび電力レベルの少なくともいずれかを決定するのを援助するために、相対付与情報が前記ユーザ機器に送信される。次に、第１チャネル上で、ユーザ機器からパケットが受信され、第２チャネル上で、ユーザ機器から受信される前記パケットに関連する制御情報が受信される。その後、第１チャネル上で受信された前記パケットは、第２チャネル上で受信された前記制御情報に基づいてデコードされる。
【００１３】
スケジューリングセルとは、移動体装置、即ち、ユーザ機器が付与またはその他のスケジューリングの信号(scheduling signaling)を受信する、アクティブセットセルである。アクティブセットセルとは、移動体装置と通信中のセルである。移動体装置が多重カバレッジ領域内にあるときには、多数のセルがアクティブセットの中にある可能性が高い。このような多重カバレッジ領域は、通例ソフトハンドオフ領域と呼ばれており、移動体装置
は、セルがアクティブセットに含まれた後にその領域にカバレッジを有するセル群と同時に通信することができる。１つ以上の他のセルに加えて、新たなセルが移動体装置のアクティブセットに含まれた場合、移動体装置は、新たなセルとソフトハンドオフ（新たに加入したセルが異なるセルサイトのものである場合）またはソフターハンドオフ(softer handoff)（新たに加入したセルが同じセルサイトのものである場合）を行う。アクティブセットへのセルの加入およびアクティブセットからのセルの削除（即ち、ソフトまたはソフターハンドオフセルを加入または欠落させる）だけでなく、アクティブセットにおける最良のセルが、付与のスケジューリングによって、および／または移動体装置の最大許容データレート、電力レベル、または電力比を制御するアップ／ダウンコマンドによって、移動体装置を制御するように、複数のアクティブセットセルのハンドオフがあってもよい。
【００１４】
「時間およびレート」スケジューリングは、アクティブセットの基地局がスケジューリング付与を用いて、移動体装置のレートまたは電力レベルおよびスケジューリング間隔を制御する場合のことを指す。スケジューリング間隔とは、移動体装置が送信することを許容される時間間隔であるか、またはある期間にわたって許される未処理パケットの数に関連する。
【００１５】
「レート制御」スケジューリングとは、アクティブセットの基地局がシグナリングを用いてある移動体装置の属性を制御する場合を言い、移動体装置はこの移動体装置属性を用いてそれらの送信レートまたは電力レベルを決定するが、移動体装置送信開始時間や送信期間を直接決定することはない。
【発明を実施するための最良の形態】
【００１６】
図１を参照すると、多数のセルサイト１０２、１０４を備えているワイヤレス無線アクセスネットワーク（radio access network: ＲＡＮ）のような、ワイヤレス通信システム１００の一例が示されており、各セルサイトは、多数のセル１０６、１０８、１１０、１１２を含む。各セル１０６、１０８、１１０、１１２は、基地局、別名、ノードＢ、１１４，１１６，１１８，１２０を含み、これらは基地局コントローラまたは無線ネットワークコントローラ（ＲＮＣ）１２２、１２４によって制御することができる。基地局コントローラ１２２、１２５は、通信ネットワーク１２６を通じて、他の陸線用構成機器またはワイヤレス構成機器と通信することができる。移動局、即ち移動体装置１２８，１３０は、ワイヤレスフェーディングマルチパスチャネル上で１カ所以上の基地局１１４，１１６，１１８，１２０と通信する。シグナリングおよび制御情報も、ワイヤレスチャネル上にてサポートされ得る。移動体装置即ちユーザ機器１２８，１３０は、当該移動体装置が多数のセルを関与させるソフトハンドオフ状態またはソフターハンドオフ状態(softer handoff state)にあり、そのセルは、ハンドオフプロセスの一部として、移動体装置のアクティブセット内に置かれているようなときに、１つ以上のセル、即ち、基地局１１４，１１６，１１８，１２０と同時通信チャネルを有することができる。
【００１７】
ワイヤレス通信システム１００が利用するワイヤレス通信リンクまたは接続は、アナログ通信のようなセルラ系通信（ＡＭＰＳを用いる）、ディジタル通信（ＣＤＭＡ、ＴＤＭＡ、ＧＳＭ、ｉＤＥＮ、ＧＰＲＳ、またはＥＤＧＥを用いる）、ならびに次世代通信（ＵＭＴＳまたはＷＣＤＭＡを用いる）およびそれらの変形例、ＨｏｍｅＲＦ、Ｂｌｕｅｔｏｏｔｈ、ＩＥＥＥ８０２．１１（ａ、ｂまたはｇ）およびＩＥＥＥ８０２．１６（ａ、ｄ、またはｅ）のようなピアツーピアまたはアドホック通信、ならびに赤外線技術のようなその他の形態のワイヤレス通信を含むが、これらに限定されるものではない。
【００１８】
図２Ａを参照すると、多数の移動体装置を担当するセルのタイミングの一例２００が示されている。セルは、アップリンク（ＵＬ  ＤＰＣＨ）２０４およびダウンリンク（ＤＬ
ＤＰＣＨ）２０２の専用物理チャネルに対応する。これらのチャネルは、主要共通制御
物理チャネル（Ｐ−ＣＣＰＣＨ）２０６の開始時点から、ネットワークによって決定され、発呼またはハンドオーバ時に各移動体装置に信号で送られるフレームおよびチップオフセットだけ時間がずれている。高速ダウンリンクパケットアクセス（ＨＳＤＰＡ）２１２に対応するダウンリンク（ＨＳ−ＳＣＣＨ）２０８およびアップリンク（ＨＳ−ＤＰＣＣＨ）２１０物理チャネルに対するタイミングは、Ｎ＝６の場合のように、Ｎ個のチャネルの各々に割り当てられる付番（例えば、図２Ａに示す実施形態では１から６まで）によって、Ｎチャネル停止／待機ハイブリッドＡＲＱのサポートを強調して示されている。また、提案したダウンリンクチャネル２１４, ２１６およびアップリンク専用物理データ（Ｅ−ＤＰＤＣＨ）２１８、ならびに「時間およびレート」スケジューリングのために高速アップリンクパケットアクセス（ＨＳＵＰＡ）に対応する制御（Ｅ−ＤＰＣＣＨ）２２０チャネルも含まれている。この場合も、Ｎ個のチャネルの各々に割り当てられる付番（例えば、１から５まで）によって、Ｎチャネル停止／待機ハイブリッドＡＲＱプロトコルのサポートを強調して示されている。例えば、図２Ｂに示す実施形態では、Ｎ＝５であり、ＴＴＩサイズは２ｍｓである。提案したダウンリンクチャネルは、ＡＣＫチャネル２１４、および絶対付与チャネル(Absolute Grant channel)２１６を含む。尚、Ｅ−ＤＰＤＣＨ２１８およびＥ−ＤＰＣＣＨ２２０は、ＵＬ  ＤＰＣＨ２０２と時間整合されていることに留意すべきである。ダウンリンクＨＳＵＰＡチャネル開始時点は、Ｐ−ＣＣＰＣＨ２０６と時間整合されている。
【００１９】
図２Ａに示すように、ユーザ機器即ち移動体装置（ＵＥＩ）２２２は、停止／待機チャネル１に対応するＴＴＩの間、Ｅ−ＤＰＤＣＨ２１８上でパケットを送信することができ、更に、停止／待機チャネル１に対応する絶対付与（図示せず）の受信に応答して、関連制御情報をＥ−ＤＰＣＣＨ２２０上で送信することができる。スケジューリングセル（例えば、スケジューリング基地局）は、Ｅ−ＤＰＣＣＨ２２０上で送られた制御情報を用いることによってＥ−ＤＰＤＣＨ２１８上で送られたパケット送信の受信およびデコード時に、パケットのデコードに成功した場合には、当該移動体装置に割り当てられたＡＣＫチャネル２１４上でＡＣＫを送信し、それ以外の場合ＮＡＣＫを送信する。別の実施形態では、暗示的なＮＡＣＫを用いることもでき、その場合、パケットのデコードが失敗した場合、何も送信しない（即ち、送信の切断（ＤＴＸ））。また、移動体装置が他のセルとのソフトハンドオフを行っている場合、これらも移動体装置に対してＡＣＫ／ＮＡＣＫ情報をＡＣＫチャネル上で送り、ネットワークによるパケットのデコードが成功したか否かを判断することができる。同一または同様の時点で、停止／待機チャネル１上で受信したパケットに応答して、ＡＣＫまたはＮＡＣＫをＡＣＫチャネル２１４上で送ることができる。スケジューリングセルは、停止／待機チャネル１に対応するＴＴＩ上の絶対付与チャネル上で絶対付与を送ることによって、停止／待機チャネル１に対する次の送信をスケジュールすることができる。絶対付与チャネルを受信すると、移動体装置は次いで停止／待機チャネル１の次の発生に対応するＴＴＩ上でパケットを送信することができる。尚、用いられるＮ個の停止／待機チャネルの各々に対してこの手順が続いて行われることに留意されたい。また、同一のＴＴＩに対して送信するようにスケジューリングする移動体装置が１台よりも多い場合もあるので、多数のＡＧチャネルがあってもよい。一実施形態では、移動体装置は、多数のチャネルを監視し、何らかの一意の識別子に基づいて、どのチャネルがそれに割り当てられているのかを判定する必要がある場合もあり得る。あるいは、絶対付与チャネルを各ユーザに割り当てることもできるが（例えば、ハンドオーバ時、または移動体装置がそのセルにおいてアクティブチャネル状態に入るとき）、１つのセルによって多数の移動体装置に対応しなければならない場合、これでは非効率的となる場合もある。最後に、絶対付与標識フィールドを、絶対付与チャネル自体に含ませることにより、移動体装置が次の送信または以降の送信において用いるべき絶対付与チャネルがどれであるかを識別することができる。最初に、ハンドオーバ時またはあるセルにおいてアクティブチャネル状態に入るときに、監視すべき特定の絶対付与チャネルを移動体装置に割り当てることもできる。次に、監視する絶対付与チャネルは、ＡＧＩフィールドの使用によっ
て変更され得る。エラー状態の場合、移動体装置およびスケジューリングセルは、最後に正しい送信を受信したＡＧチャネルに戻るか、あるいは（一層単純に）ハンドオーバ時に割り当てられたＡＧチャネル、またはアクティブチャネル状態の開始時に割り当てられたＡＧチャネルに移ることができる。移動体装置が考慮しなければならない可能性のあるＡＧチャネルを減らすために、全ＡＧチャネルを複数の集合に分割し、１台の移動体装置には４つの可能なＡＧチャネルのみを有する１つの集合を割り当てるようにし、よってＡＧインディケータは、各々４つのＡＧチャネルの１つに対応する４つの可能な値のみを有するようにすることができる。また、集合を用いることは、ＡＧチャネル上で送られるＡＧ標識フィールドに必要なビット数を削減するのにも役立つ。
【００２０】
図２Ｂを参照すると、多数の移動体装置を担当するセルのタイミングの別の例２５０が示されている。このセルは、アップリンク（ＵＬ  ＤＰＣＨ）２５２およびダウンリンク（ＤＬ  ＤＰＣＨ）２５４の専用物理チャネルに対応する。これらのチャネルは、主要共通制御物理チャネル（Ｐ−ＣＣＰＣＨ）２５６の開始時点から、ネットワークによって決定され、発呼またはハンドオーバ時に各移動体装置に信号で送られるフレームおよびチップオフセットだけ時間がずれている。高速ダウンリンクパケットアクセス（ＨＳＤＰＡ）２６２に対応するダウンリンク（ＨＳ−ＳＣＣＨ）２５８およびアップリンク（ＨＳ−ＤＰＣＣＨ）２６０物理チャネルに対するタイミングは、Ｎ個のチャネル（例えば、この場合Ｎ＝６）の各々に割り当てられる異なる付番によって、Ｎチャネル停止／待機ハイブリッドＡＲＱのサポートを強調して示されている。また、提案したダウンリンク２６４，２６６，２６８チャネルおよびアップリンク専用物理データ（Ｅ−ＤＰＤＣＨ）２７０、ならびに「時間およびレート」スケジューリングのために高速アップリンクパケットアクセス（ＨＳＵＰＡ）に対応する制御（Ｅ−ＤＰＣＣＨ）２７２チャネルも含まれている。この場合も、Ｎ個のチャネルの各々に割り当てられる異なる付番によるＮチャネル停止／待機ハイブリッドＡＲＱプロトコルのサポートが強調されており、例えば、この場合、Ｎ＝５であり、ＴＴＩサイズは２ｍｓである。提案したダウンリンクチャネルは、ＡＣＫチャネル２６４、広域相対付与チャネル２６６、広域ビジービット２６８、そして任意に移動体装置毎ビジービット（図示せず）を含む。尚、Ｅ−ＤＰＤＣＨ２７０およびＥ−ＤＰＣＣＨ２７２は、ＵＬ  ＤＰＣＨ２５２と時間整合されていることに留意されたい。ダウンリンクＨＳＵＰＡチャネルの開始時点は、Ｐ−ＣＣＰＣＨ２５６と時間整合されている。別の実施形態では、Ｅ−ＤＰＤＣＨ２７０およびＥ−ＤＰＣＣＨ２７２は、ＨＳ−ＤＰＣＣＨ２６０と時間整合されている。
【００２１】
図２Ｂに示すように、ユーザ機器即ち移動体装置（ＵＥ１）は、停止／待機チャネル１に対応するＴＴＩの間、Ｅ−ＤＰＤＣＨ２７０上でパケットを送信し、更に、関連制御情報をＥ−ＤＰＣＣＨ２７２上で送信することができる。Ｅ−ＤＰＤＣＨ２７０上におけるパケット送信に先だって、移動体装置は、スケジューリングセルにおける全体の干渉が目標レベルに制御されるように、スケジューリングセルによって広域相対付与チャネル２６６上で送られた相対付与情報を用いて、パケットを送るときに用いるべきレートおよび電力レベルを決定するのを援助することができる。スケジューリングセルは、Ｅ−ＤＰＣＣＨ２２０上で送られた制御情報を用いることによってＥ−ＤＰＤＣＨ２１８上で送られたパケット送信の受信およびデコード時に、パケットのデコードに成功した場合には、当該移動体装置に割り当てられたＡＣＫチャネル２１４上でＡＣＫを送信し、それ以外の場合ＮＡＣＫを送信する。別の実施形態では、暗示的なＮＡＣＫを用いることもでき、その場合、パケットのデコードが失敗した場合、何も送信しない（即ち、送信の切断（ＤＴＸ））。また、移動体装置が他のセルとのソフトハンドオフを行っている場合、それらの他のセルも移動体装置に対してＡＣＫ／ＮＡＣＫ情報をＡＣＫチャネル上で送り、それにより移動体装置はネットワークによるパケットのデコードが成功したか否か判断することができる。ビジービットが広域ビジービットチャネル２６８または移動体装置毎ビジービットチャネル上で送信される場合、移動体装置は、ビジービットの送信が途切れるまで、後続
のＴＴＩ上での送信を開始しない。尚、用いられるＮ個の停止／待機チャネルの各々に対してこの手順が続いて行われることに留意されたい。
【００２２】
図３Ａを参照すると、「レート制御」スケジューリングを用いた高速パケットアクセスネットワークにおいてアップリンクデータ通信に対応するためのダウンリンク制御チャネル３００が具体化して示されている。「レート制御」スケジューリング用ダウンリンク制御チャネル３００は、１つ以上のスケジューリングセル構造３０２、および１つ以上の非スケジューリングセル構造３０４を備えている。スケジューリングセル構造３０２は、スケジューリングセルシグナリング構造３０６を含み、１つ以上の付加的なスケジューリングセルシグナリング構造３０８を含むこともできる。同様に、非スケジューリングセル構造３０４も、非スケジューリングセルシグナリング構造３１０を含み、１つ以上の付加的な非スケジューリングセルシグナリング構造３１２を含むこともできる。
【００２３】
図３Ｂを参照すると、「時間およびレート」スケジューリングを用いた高速パケットアクセスネットワークにおいてアップリンクデータ通信に対応するためのダウンリンク制御チャネル３２０が具体化して示されている。「時間およびレート」スケジューリング用ダウンリンク制御チャネル３２０は、１つ以上のスケジューリングセル構造３２２、１つ以上の非スケジューリングセル構造３２４、および１つ以上の絶対付与（ＡＧ）チャネル集合３２６、３２８を備えている。スケジューリングセル構造３２２は、スケジューリングセルシグナリング構造３３０を含み、１つ以上の付加的なスケジューリングセルシグナリング構造３３２も含むことができる。同様に、非スケジューリングセル構造３２４も、非スケジューリングセルシグナリング構造３３４を含み、１つ以上の付加的な非スケジューリングセルシグナリング構造３３６を含むことができる。ＡＧチャネル３２６, ３２８の各集合は、複数のＡＧチャネルを含むことができる。
【００２４】
図３Ｃを参照すると、「レート制御」ならびに「時間およびレート」スケジューリング双方を用いた高速パケットアクセスネットワークにおいてアップリンクデータ通信に対応するためのダウンリンク制御チャネル３４０が具体化して示されている。移動体装置には、アクティブセットへのハンドオフ時またはアクティブ状態に入るときに、「レート制御」シグナリング構造チャネル化コードまたは「時間およびレート」シグナリング構造チャネル化コードのいずれかが割り当てられる。「レート制御」ならびに「時間およびレート」スケジューリングのためのダウンリンク制御チャネル３４０は、「レート制御」スケジューリング用スケジューリングセル構造３４２、「時間およびレート」スケジューリング用スケジューリングセル構造３４４、非スケジューリングセル構造３４６、ならびに１つ以上の絶対付与（ＡＧ）チャネル集合３４８，３５０を備えている。「レート制御」スケジューリング用スケジューリングセル構造３４２は、「レート制御」スケジューリング用スケジューリングセルシグナリング構造３５２を含み、１つ以上の付加的な「レート制御」スケジューリング用スケジューリングセルシグナリング構造３５４を含むこともできる。「時間およびレート」スケジューリング用スケジューリングセル構造３４４は、「時間およびレート」スケジューリング用スケジューリングセルシグナリング構造３５６を含み、１つ以上の付加的な「時間およびレート」スケジューリング用スケジューリングセルシグナリング構造３５８を含むこともできる。非スケジューリングセル構造３４６は、非スケジューリングセルシグナリング構造３６０を含み、１つ以上の付加的な非スケジューリングセルシグナリング構造３６２を含むこともできる。ＡＧチャネルの各集合３４８、３５０は、複数のＡＧチャネルを含むことができる。
【００２５】
図３Ｄを参照すると、「レート制御」ならびに「時間およびレート」スケジューリングの双方を用いるが、複合ダウンリンクシグナリングスケジューリングセル構造を用いる高速パケットアクセスネットワークにおいてアップリンクデータ通信に対応するダウンリンク制御チャネル３７０が具体化して示されている。「ハイブリッド」スケジューリング用
ダウンリンク制御チャネル３７０は、１つ以上の「ハイブリッド」スケジューリング用スケジューリングセル構造３７２、１つ以上の「ハイブリッド」スケジューリング用非スケジューリングセル構造３７４、および１つ以上の絶対付与（ＡＧ）チャネル集合３７６，７８を備えている。「ハイブリッド」スケジューリング用スケジューリングセル構造３７２は、「ハイブリッド」スケジューリング用スケジューリングセルシグナリング構造３８０を含み、１つ以上の付加的な「ハイブリッド」スケジューリング用スケジューリングセルシグナリング構造３８２も含むことができる。「ハイブリッド」スケジューリング用非スケジューリングセル構造３７４は、「ハイブリッド」スケジューリング用非スケジューリングセルシグナリング構造３８４を含み、１つ以上の付加的な「ハイブリッド」スケジューリング用非スケジューリングセルシグナリング構造３８６も含むことができる。ＡＧチャネルの各集合３７６，３７８は、複数のＡＧチャネルを含むことができる。
【００２６】
図４を参照すると、高速パケットアクセスネットワークにおいてアップリンクデータ通信を制御するためのスケジューリングセルのダウンリンクコード化構造４００の一例が示されている。提案するダウンリンクコード化構造４００は、移動体装置当たりのＡＣＫビットチャネル４０６，４０８、広域（即ち、全ての移動体装置の）相対付与ダウンリンクチャネル４１４、および広域ビジービットチャネル４１６をサポートする。任意に、コード化構造４００は、移動体装置当たりのビジービットチャネル４１０，４１２をサポートすることもできる。一例として示すように、提案するダウンリンクコード化構造４００は、移動体装置ＵＥ１４０２からＵＥＫ４０４をサポートすることができる。更に、この構造は、各移動体装置に対して、ＡＣＫ／ＮＡＫビットチャネル４０６，０８およびビジービットチャネル４１０，４１２をサポートすることができる。また、この例では、提案するダウンリンクコード化構造４００は、広域１ビット相対付与ビット４１４、および広域１ビットビジービット４１６をサポートすることもできる。
【００２７】
この構造は、所与のセルによってスケジューリングされる移動体装置のためのものである。そのセルがある移動体装置に対するスケジューリングセルである場合、移動体装置は、アップリンク通信に対応するために必要なダウンリンク情報にアクセスするために、この構造を用いるように指定される。ビジービットチャネル４１０，４１２，４１６は、「時間およびレート」スケジューリングネットワークには不要であるが、送信時間間隔（ＴＴＩ）毎に送信可能な移動体装置の最大数を制御するため、および／または必要とされる基地局のチャネルリソースの最大量を抑制するために、「レート」制御スケジューリングネットワークには有用である。所与の移動体装置に対してＴＴＩ毎にスケジューリングセルが１つだけであると想定し、アクティブセットへのハンドオフを用いて、「スケジューリングセル」のステータスを、アクティブセットにおける別のセルに転送することができる。
【００２８】
例えば、図４に示す実施形態では、１２８ＯＶＳＦ(orthogonal variable spreading factor)チャネル化コード４１８は、１９台までの移動体装置に対応するか、あるいは移動体装置当たりのビジービット４１０，４１２が割り当てられていない場合には３８台までの移動体装置に対応する構造と関連付けられている。セル毎にこの構造の多数のインスタンスがある場合もあるが、セルによってスケジューリングされる移動体装置には、アクティブセルのハンドオフ時、または同時アクティブセルおよびソフト／ソフターハンドオフ時、あるいはセルに対する移動体装置の発呼／呼設定時に監視すべき、対応する１つのＯＶＳＦコード４１８が割り当てられる。
【００２９】
更に、図４に示す実施形態例では、発呼または呼設定時、ソフトまたはソフターハンドオフ時、あるいはスケジューリングセルへのアクティブセルのハンドオフ時に、各移動体装置には、それに対応するＡＣＫおよびビジービットチャネル４０６，４０８，４１０，４１２に対する一意の直交シーケンス４２０，４２２，４２４，４２６、相対付与（アッ
プ／ダウンビット）チャネルに対して全ての移動体装置が知っている一意の共通直交シーケンス４２８、および広域ビジービットチャネルに対する一意の共通直交シーケンス４３０も割り当てることができる。例えば、前述の処置に応答して、各移動体装置に、ＡＣＫおよびビジービットチャネルに対する４０ビットアダマール直交シーケンス４２０，４２２，４２４，４２６、相対付与チャネルに対する４０ビットアダマール直交シーケンス４２８、ならびに広域ビジービットチャネルに対する４０ビットアダマール直交シーケンス４３０を割り当てることができる。送信する各シーケンスは、２ｍｓＴＴＩのスロット３つというように、所定のＴＴＩの所定数のスロットにわたって繰り返えされ、他のシーケンスと合計（４３２）してもよい。次いで、この和を、サイズ１２８のコードのような、ＯＶＳＦチャネル化コード４１８で拡散し（４３４）、続いてＱＰＳＫ変調およびスクランブリングを行う。一実施形態では、維持するチャネル化コードを少なくできるように、図４に示すように、４０ビットシーケンスのような、より大きいシーケンスが、２０ビットシーケンスのようなより小さいシーケンスよりも好ましい。
【００３０】
図５を参照すると、多数の移動体装置毎ＡＣＫチャネル５０２，５０４をサポートする、非スケジューリングセルダウンリンクコード化構造５００の一例が示されている。このコード化構造５００は、アクティブセットにおける所与のセルによってスケジューリングされていない移動体装置によって用いられ得る。したがって、移動体装置は、アクティブセットのそれらの非スケジューリングセルの各々におけるこの構造のインスタンスに対応する単一の（サイズ２５６）ＯＶＳＦチャネル化コード５０６を監視する。例えば、図５に示す実施形態では、この構造の各インスタンスは、２０台の移動体装置に対応することができ、ソフト／ソフターハンドオフ時、発呼／呼設定時、またはアクティブセルへのハンドオーバ時に、１つの対応するチャネル化コードを割り当てることができる。２０ビットアダマール直交コードのような単一ＡＣＫチャネルに対応する直交コードも、アクティブセットへのハンドオフ時、またはソフト／ソフターハンドオフ時に、移動体装置のアクティブセットにセルを追加する際に、非スケジューリングセルによって各移動体装置に割り当てることもできる。一実施形態では、移動体装置に割り当てられるシーケンスは、ＡＣＫに対して送信され、ＮＡＣＫに対しては送信されなくてもよい。尚、より良好なＡＣＫ／ＮＡＣＫカバレッジが得られるので、（２０ビットのような）より短いシーケンスが、（４０ビットのような）より長いシーケンスよりも好ましいことに留意されたい。また、セルがサポートするスケジューリングされていないユーザの数を最少にして、非スケジューリングセルダウンリンクコード化構造において必要なＡＣＫチャネルの数を削減することができる。
【００３１】
図６を参照すると、基地局が移動体装置のアップリンク送信をスケジューリングする際に用いることができ、「時間およびレート」スケジューリングネットワークにおいて対応することができる絶対付与（ＡＧ）チャネルのコード化構造の一例が示されている。ＡＧチャネルを用いて、移動体装置のレートまたは電力限度情報、および移動体装置が送信し得る禁止スケジューリング時間間隔(proscribed scheduling time interval) を信号で送ることができる。ＡＧ情報（例えば、ＤＰＲ、ＣＡＣＫ、ＮＯＰ、ＡＧＩ）は、特定の移動体装置に向けてＡＧチャネル上で送ることができる。ＡＧ情報は、Ｋ＝９テールバイティング畳み込みコード(tail biting convolution code)のような、畳み込みコードを用いてコード化することができる。尚、制御チャネルＡＣＫ／ＮＡＣＫ（ＣＡＣＫ）は、先行の２ｍｓ  ＴＴＩ  Ｅ−ＤＰＣＣＨ送信に応答して送信され得、その場合、制御チャネルのデコードに成功した場合にはＡＣＫが送られ、それ以外の場合にはＮＡＣＫが送られることに留意されたい。また、移動体装置は、Ｅ−ＤＰＣＣＨ電力制御のためにＣＡＣＫも用いることができる。また、ＣＡＣＫは、コード多重化Ｅ−ＤＰＣＨの場合に効果的な１０ｍｓＴＴＩを達成するために用いられる２ｍｓ  ＴＴＩ  Ｅ−ＤＰＣＣＨ送信の反復を早期に終了させることができる。未処理パケット数（ＮＯＰ）フィールドは、いくつの未処理パケットが許容されるかを示す。一実施形態では、スケジューリング付与当たりの未
処理パケット数は、２ビットの「未処理パケット数」（ＮＯＰ）フィールドによって制御され、１個、４個、６個、または無限数のパケットにマップされ得る。無限数のパケットの場合は、移動体装置が「時間およびレート」スケジューリングモードから離脱し、「レート制御」モードに入ることに対応する。「時間およびレート」スケジューリングでは、これは、事実上、異なるスケジューリング間隔を可能にし、無限数の場合は、移動体装置がレートスケジューリングモードに入り、広域相対付与（アップ／ダウン）ビットを用いてそのレート選択または電力レベルを制御し、ビジービットを用いてその送信を可能または不能にすることを意味する。一旦「レートスケジューリング」モードに入ると、移動体装置は、アクティブ状態から離脱するまで、そのモードに残留することができる。アクティブ状態からの離脱は、一般に、送信するデータが残っていないために、休止タイマ(inactivity timer)が切れるときに起こる。アクティブチャネル状態（３ＧＰＰ  ＷＣＤＭＡでは、ＣＥＬＬ＿ＤＣＨ状態として知られている）に入ると、ユーザ機器即ち移動体装置（ＵＥ）を、「時間およびレート」または「レート制御」スケジューリングモードのいずれかに指定することができる。一実施形態では、ＡＧＩを受信するための現ＨＡＲＱ停止／待機チャネル番号に対する後続のＡＧ送信において、ＡＧチャネル化コード集合における４つのＡＧチャネル化コードの内のどれを、移動体装置が監視しデコードすべきかを示すために、絶対付与標識（ＡＧＩ）フィールドを用いることができる。これによって、移動体装置は、ＴＴＩ毎に１つのＡＧコードのみを監視すればよいことになる。
【００３２】
Ｎ−チャネル停止／待機プロトコルでは、ユーザは、例えば、２ｍｓＴＴＩで、Ｎ個のチャネルの各々の上で１つのパケットを送ることができ、この場合チャネルは互いに１ＴＴＩだけ時間がずれており、Ｎ個のチャネル全てを連続的に用いるときに、移動体装置の送信において重複や間隙が生じないようにしている。パケットが停止／待機チャネルｉ上で送信され、ユーザが受信エンティティからＡＣＫを受信しない場合、その後に生じるチャネルｉ上で再送信することができる。ＡＣＫを受信するまで、または再送信の最大数に達するまで、ｉ番目の停止／待機チャネル上でパケットを再送信し続ける。次いで、ユーザは自由にチャネルｉ上で新たなパケットを送信する。この手順は、Ｎ個のチャネルの各々で独立して行うことができる。チャネルｉに対応するＡＧチャネル上で受信したＡＧＩは、ユーザがチャネルｉについて、どのＡＧチャネル番号を監視すうべきかを示している。あるいは、ＡＧＩは、絶対付与が暗示的に示す停止／待機チャネル番号には無関係に、どのＡＧチャネルを監視すべきかを示す。
【００３３】
図７を参照すると、セル毎に割り当てられた絶対付与（ＡＧ）チャネル７０２，７０４の一例が示されている。例えば、図示の実施形態では、４つのＡＧチャネルから成る２つの集合をセル毎に割り当てることができ、各チャネルは、対応するＯＶＳＦチャネル化コード７０６，７０８を有する。セルのＡＧチャネル集合の１つは、対応するチャネル化コードと共に、アクティブセットへのハンドオフまたは発呼／呼設定によってセルがスケジューリングセルになったときに、移動体装置に割り当てられる。
【００３４】
図８を参照すると、ＡＧと共に用いられるＨ−ＲＮＴＩカラーコード化方式８００が示されている。各ＡＧチャネルは、一意の移動体装置ＩＤ（Ｈ−ＲＮＴＩ８０２）によってカラーコード化されているので、移動体装置は、それ自体が送信された付与の目標であるのか否かを判定することができ、これによって誤った付与の可能性を低下する。
【００３５】
図９を参照すると、ＡＧチャネルと共に用いられる高速パケットアクセスネットワークにおけるアップリングデータ通信を制御するための別のスケジューリングセルダウンリンクコード化構造９００の一例が示されている。提案するダウンリンク構造は、スケジューリングセルの移動体装置ＵＥ１〜ＵＥｋ毎に、「時間およびレート」スケジューリングネットワーク用のＡＣＫチャネル９０２，９０４に対応する。所与の移動体装置には、ＴＴＩ毎に１つのスケジューリングセルしかないものと仮定して、アクティブセットへのハン
ドオフを用いて「スケジューリングセル」ステータスを、アクティブセットにおける異なるセルに転送する。例えば、図示の実施形態では、単一サイズの１２８ＯＶＳＦチャネル化コードが、最大数の移動体装置に対応する構造の各インスタンス化と関連付けられている。１つのセルに対してこの構造には多数のインスタンスがある場合もあるが、そのセルによってスケジューリングされる移動体装置には、アクティブセルのハンドオフの際に監視すべきＯＶＳＦコードが知らされている。新たなスケジューリングセルへのアクティブセルのハンドオフの間、各移動体装置には、それに対応するＡＣＫチャネル９０２、９０４に対する一意の直交シーケンス９０８，９１０も割り当てられる。例えば、送信する各シーケンスを、２ｍｓＴＴＩの３スロットにわたって繰り返し、他のシーケンスと合計する（９１２）ことができる。次いで、この合計を、ＯＶＳＦチャネル化コードで拡散し（９１４）、続いてＱＰＳＫ変調およびスクランブリングを行う。この場合、維持するチャネル化コードが少なくなるように、小さい（例えば、２０ビット）シーケンスよりもより大きい（この場合、４０ビット）シーケンスが好ましい。
【００３６】
図１０を参照すると、スケジューリングセルコード化構造の更に別の実施形態が示されている。即ち、ハイブリッドスケジューリングセルコード化構造１０００は、１つ以上の「レート制御」ＡＣＫ／ＮＡＫチャネル１００２、移動体装置毎ビジービットチャネル１００ｘ、広域相対付与チャネル１００ｘおよび広域ビジービットチャネル１００ｘ、ならびに１つ以上の「時間およびレート」ＡＣＫ／ＮＡＫチャネル１００４を含み、したがって、「レート制御」または「時間およびレート」スケジューリングモードのいずれかで移動体装置に対応することができる。これに応じて、１つのチャネル化コードが、「レート制御」スケジューリングが行われる移動体装置および「時間およびレート」スケジューリングが行われる移動体装置の双方をサポートする構造を提供する。
【００３７】
図１１を参照すると、図１のワイヤレス通信システム１００の移動体装置例１１００が示されている。明確性および簡潔性のために、図１１は、当業者に実施形態を説明するために必要な移動体装置１２８，１３０の機能性のみを図示する。つまり、図１１に示す機能的要素に加えて、移動体装置は、当業者には周知である、ワイヤレス通信技術仕様に応じて通信するために必要なまたは望ましいその他の機能性も備えることができるのが通例である。
【００３８】
図１１は、第１受信機１１０４および第１送信機１１０６に（例えば、デュプレクサ（図示せず）を介して）結合されているアンテナ１１０２を備えている。第１受信機１１０４は、１カ所以上の基地局から送信される信号をエアインターフェースを通じて受信する機能性を備えており、第１送信機は、１カ所以上の基地局にエアインターフェースを通じて送信する機能性を備えている。第１受信機１１０４および第１送信機１１０６は、第１コントローラ１１０８に結合されている。
【００３９】
図１２は、図１のワイヤレス通信システム１００のソフトハンドオーバ基地局１２００を示す。明確性および簡潔性のために、図１２は、当業者に実施形態を説明するために必要な基地局の機能性１１４，１１６，１１８，１２０のみを図示する。つまり、図１２に示す機能的要素に加えて、基地局は、当業者には周知のワイヤレス通信技術使用に応じて通信するために必要なまたは望ましいその他の機能性も備えることができるのが通例である。
【００４０】
基地局１２００は、第２受信機１２０４に結合されているアンテナ１２０２を備えている。第２受信機１２０４は、ユーザ機器からエアインターフェースを通じて送信される信号を受信する。第２受信機１２０４は、コントローラ１２０６に結合されており、コントローラ１２０６は第２受信機１２０４からデータを受け取り、固定ネットワーク、特に、ＲＮＣ（図示せず）に出力する。コントローラ１２０６は、更に、第２受信機１２０４を
制御するとともに、固定ネットワークにおけるその他のネットワーク要素をアドレス指定するように動作することができる。
【００４１】
基地局１２００は、ユーザ機器からエアインターフェースを通じて送信される信号を受信する第２受信機１２０４と、ユーザ機器に送信される信号をエアインターフェースを通じて送る第２送信機１２０６とに結合されているアンテナ１２０２を備えている。第２受信機１２０４は、１台以上のユーザ機器からエアインターフェースを通じて送信される信号を受信する機能を備えており、第２送信機１２０６は、エアインターフェースを通じて１台以上のユーザ機器に信号を送信する機能性を備えている。第２受信機１２０４および第２送信機１２０６は、コントローラ１２０８に結合されている。
【００４２】
以上、本発明の好適な実施形態について図示し説明したが、本発明はそれに限定されるのではないことは、理解されてしかるべきである。当業者であれば、添付した特許請求の範囲に規定した本発明の主旨および範囲から逸脱することなく、多数の修正、変更、変形、置換、均等物に想到するであろう。
【図面の簡単な説明】
【００４３】
【図１】本発明による移動体装置のワイヤレス通信基盤設備との通信を表す、ワイヤレス通信システムの概略図。
【図２Ａ】本発明にしたがって、セルが担当する多数の移動体装置をスケジューリングする場合のタイミング図。
【図２Ｂ】本発明にしたがって、セルが担当する多数の移動体装置をスケジューリングする場合のタイミング図。
【図３Ａ】本発明によるダウンリンクデータ通信に対応するダウンリンク制御チャネルを表す概略図。
【図３Ｂ】本発明によるダウンリンクデータ通信に対応するダウンリンク制御チャネルを表す概略図。
【図３Ｃ】本発明によるダウンリンクデータ通信に対応するダウンリンク制御チャネルを表す概略図。
【図３Ｄ】本発明によるダウンリンクデータ通信に対応するダウンリンク制御チャネルを表す概略図。
【図４】本発明にしたがってアップリンクデータ通信を制御するスケジューリングセルダウンリンクコード化構造を表す概略図。
【図５】本発明による非スケジューリングセルダウンリンクコード化構造を表す概略図。
【図６】本発明にしたがって利用する絶対付与チャネルの概略図。
【図７】本発明にしたがってセル毎に割り当てられる多数の絶対付与チャネルの概略図。
【図８】本発明にしたがって利用するカラーコード化方式の概略図。
【図９】本発明にしたがってアップリンクデータ通信を制御する、別のスケジューリングセルダウンリンクコード化構造を表す概略図。
【図１０】本発明にしたがってアップリングデータ通信を制御する、ハイブリッドスケジューリングセルダウンリンクコード化構造を表す概略図。
【図１１】図１のワイヤレス通信システムの移動体装置の一例を表すブロック図。
【図１２】図１のワイヤレス通信システムの基地局の一例を示すブロック図。
【図１】
2006087114.tif 000003
【図２Ａ】
2006087114.tif 000004
【図２Ｂ】
2006087114.tif 000005
【図３Ａ】
2006087114.tif 000006
【図３Ｂ】
2006087114.tif 000007
【図３Ｃ】
2006087114.tif 000008
【図３Ｄ】
2006087114.tif 000009
【図４】
2006087114.tif 000010
【図５】
2006087114.tif 000011
【図６】
2006087114.tif 000012
【図７】
2006087114.tif 000013
【図８】
2006087114.tif 000014
【図９】
2006087114.tif 000015
【図１０】
2006087114.tif 000016
【図１１】
2006087114.tif 000017
【図１２】
2006087114.tif 000018
【外国語明細書】
2006087114.tif 000019
2006087114.tif 000020
2006087114.tif 000021
2006087114.tif 000022
2006087114.tif 000023
2006087114.tif 000024
2006087114.tif 000025
2006087114.tif 000026
2006087114.tif 000027
2006087114.tif 000028
2006087114.tif 000029
2006087114.tif 000030
2006087114.tif 000031
2006087114.tif 000032
2006087114.tif 000033
2006087114.tif 000034
2006087114.tif 000035
2006087114.tif 000036
2006087114.tif 000037
2006087114.tif 000038
2006087114.tif 000039
2006087114.tif 000040
2006087114.tif 000041
2006087114.tif 000042
2006087114.tif 000043
2006087114.tif 000044
2006087114.tif 000045
2006087114.tif 000046
2006087114.tif 000047
2006087114.tif 000048
2006087114.tif 000049
2006087114.tif 000050
2006087114.tif 000051
2006087114.tif 000052
2006087114.tif 000053
2006087114.tif 000054
2006087114.tif 000055
2006087114.tif 000056
2006087114.tif 000057
2006087114.tif 000058
2006087114.tif 000059
2006087114.tif 000060
2006087114.tif 000061
2006087114.tif 000062
2006087114.tif 000063
2006087114.tif 000064